(57)【要約】【課題】本発明は照明制御システムに関し、容易に消費電力を取得できる照明制御システムを得ることを目的とする。【解決手段】本発明に係る照明制御システムは、各々が自己の消費電力値を算出し、モニタ信号に応じて該消費電力値を無線で送信する複数の照明器具と、ブロードキャストで該モニタ信号を送信し、該複数の照明器具から受信した複数の消費電力値の和を算出する照明コントローラと、を備える。【選択図】図１
2020181660.tif 000002
【特許請求の範囲】
【請求項１】
各々が自己の消費電力値を算出し、モニタ信号に応じて前記消費電力値を無線で送信する複数の照明器具と、
ブロードキャストで前記モニタ信号を送信し、前記複数の照明器具から受信した複数の消費電力値の和を算出する照明コントローラと、
を備えることを特徴とする照明制御システム。
【請求項２】
前記複数の照明器具は、互いを識別するアドレスを有さないことを特徴とする請求項１に記載の照明制御システム。
【請求項３】
前記複数の照明器具の各々は、前記消費電力値を送信する際に送信元アドレスを指定しないことを特徴とする請求項１または２に記載の照明制御システム。
【請求項４】
前記複数の照明器具の各々は、前記モニタ信号を受信すると、ランダムウェイト時間だけ経過した後に前記消費電力値を送信することを特徴とする請求項１から３のいずれか１項に記載の照明制御システム。
【請求項５】
前記照明コントローラは、外部からデマンド制御要求を受信すると前記モニタ信号を送信し、前記複数の消費電力値の前記和が予め定められた第１閾値よりも大きい場合、調光率を現在の値よりも低く設定する調光信号を前記複数の照明器具にブロードキャストで送信することを特徴とする請求項１から４のいずれか１項に記載の照明制御システム。
【請求項６】
前記照明コントローラは、前記調光信号の送信の後、再度前記モニタ信号を送信して前記和を算出し、その後前記和が前記第１閾値よりも小さくなるまで、前記調光信号の送信と、前記モニタ信号の送信と、前記和の算出と、を繰り返すことを特徴とする請求項５に記載の照明制御システム。
【請求項７】
前記照明コントローラは、前記複数の消費電力値の前記和が、前記第１閾値より低く、前記第１閾値よりも小さい第２閾値よりも大きくなるように、前記調光信号を送信することを特徴とする請求項５または６に記載の照明制御システム。
【請求項８】
前記デマンド制御要求は、リモコン設定器から送信されることを特徴とする請求項５から７のいずれか１項に記載の照明制御システム。
【請求項９】
前記第１閾値は、リモコン設定器から設定されることを特徴とする請求項５から８のいずれか１項に記載の照明制御システム。
【発明の詳細な説明】
【技術分野】
【０００１】
本発明は、照明制御システムに関する。
【背景技術】
【０００２】
特許文献１には、分電盤の１箇所で、測定対象の照明器具の全体の電力を測定する方法が開示されている。この方法では、ポータブル電力計を用いて、測定対象の照明器具の全点灯時の分電盤の全体の瞬時電力と全消灯時の分電盤の全体の瞬時電力を測定する。さらに、全点灯時の瞬時電力、全消灯時の瞬時電力の測定を繰り返し、繰り返しによって得られる全点灯時の瞬時電力と全消灯時の瞬時電力との電力差を算出し、電力差の値がほぼ同じ値となった時の電力差を測定対象の照明器具の全体の電力とする。
【先行技術文献】
【特許文献】
【０００３】
【特許文献１】特開２０１２−５３００３号公報
【発明の概要】
【発明が解決しようとする課題】
【０００４】
特許文献１では、消費電力を測定するために、既存の分電盤に電力計を設置する必要がある。このため、測定用の装置を新たに設置する工事が必要となるおそれがある。また、消費電力の測定のために複数の照明器具の全灯と消灯を繰り返す必要がある。
【０００５】
本発明は、上述の課題を解決するためになされたもので、容易に消費電力を取得できる照明制御システムを得ることを目的とする。
【課題を解決するための手段】
【０００６】
本発明に係る照明制御システムは、各々が自己の消費電力値を算出し、モニタ信号に応じて該消費電力値を無線で送信する複数の照明器具と、ブロードキャストで該モニタ信号を送信し、該複数の照明器具から受信した複数の消費電力値の和を算出する照明コントローラと、を備える。
【発明の効果】
【０００７】
本発明に係る照明制御システムでは、照明コントローラがブロードキャストでモニタ信号を送信し、複数の消費電力値の和を算出する。従って、容易に消費電力を取得できる。
【図面の簡単な説明】
【０００８】
【図１】実施の形態１に係る照明制御システムの構成を示す図である。
【図２】実施の形態１に係るスケジュール設定情報の一例を示す図である。
【図３】実施の形態１に係る照明器具の構成を示す図である。
【図４】実施の形態１に係る照明制御システムの動作を示す第１のシーケンス図である。
【図５】実施の形態１に係る照明制御システムの動作を示す第２のシーケンス図である。
【図６】実施の形態１の変形例に係る照明制御システムの構成を示す図である。
【発明を実施するための形態】
【０００９】
本発明の実施の形態に係る照明制御システムについて図面を参照して説明する。同じ又は対応する構成要素には同じ符号を付し、説明の繰り返しを省略する場合がある。
【００１０】
実施の形態１．
図１は、実施の形態１に係る照明制御システム１００の構成を示す図である。照明制御システム１００は、照明コントローラ１１、複数の照明器具２およびスイッチ３ａ、３ｂを備える。複数の照明器具２は、照明器具２ａ〜２ｄを含む。照明制御システム１００において、分電盤１からそれぞれの機器に電力が供給される。
【００１１】
スイッチ３ａは分電盤１と照明器具２ａ、２ｂとの間に接続される。分電盤１から照明器具２ａ、２ｂに供給される電力は、スイッチ３ａでＯＮ、ＯＦＦされる。スイッチ３ｂは分電盤１と照明器具２ｃ、２ｄとの間に接続される。分電盤１から照明器具２ｃ、２ｄに供給される電力は、スイッチ３ｂでＯＮ／ＯＦＦできる。
【００１２】
ここで、スイッチ３ａ、３ｂは機械的なスイッチである。スイッチ３ａ、３ｂは、照明コントローラ１１と通信しない。スイッチ３ａ、３ｂは、遠隔操作でＯＮ、ＯＦＦするスイッチではない。スイッチ３ａ、３ｂは、分電盤１と照明器具２ａ〜２ｄとの間の遮断および接続のみを行うものであっても良い。
【００１３】
照明コントローラ１１と照明器具２ａ〜２ｄは、無線通信を行う。照明コントローラ１１と照明器具２ａ〜２ｄの各々は、例えば９２０ＭＨｚ無線通信用帯域を用いた双方向無線通信６１の送受信機能を持つ。照明コントローラ１１と照明器具２ａ〜２ｄとは、同じ無線チャンネルに設定される。無線チャンネルは、無線通信で使用される周波数帯を示す。
【００１４】
照明コントローラ１１は、照明器具２ａ〜２ｄに対して双方向無線通信６１により調光信号またはモニタ信号を送信する。調光信号は、例えば照明器具２ａ〜２ｄに対して調光率の指示を行う信号である。調光信号は、照明器具２ａ〜２ｄを点灯または消灯させる信号であっても良い。これに限らず、調光信号は照明器具２ａ〜２ｄの点灯状態を制御する信号であれば良い。
【００１５】
モニタ信号は、例えば照明器具２ａ〜２ｄの調光率または消費電力をモニタする信号である。モニタ信号は、照明器具２ａ〜２ｄのアドレスをモニタする信号であっても良い。これに限らず、モニタ信号は照明器具２ａ〜２ｄについての情報をモニタする信号であれば良い。なお、本実施の形態では、照明器具２ａ〜２ｄは、互いを識別するアドレスを有さない。
【００１６】
照明コントローラ１１は、双方向無線通信６１が到達可能な範囲に設置された照明器具２ａ〜２ｄの消費電力をモニタし、調光制御することができる。本実施の形態の照明制御システム１００には、４台の照明器具２ａ〜２ｄが設けられている。これに限らず、照明制御システム１００に設けられる照明器具２の数は複数であればよい。１台の照明コントローラ１１は、例えば数十台〜数百台の照明器具２と通信することができる。
【００１７】
複数の照明器具２に照明コントローラ１１と無線通信できない照明器具２が含まれる場合、無線通信できない照明器具２は照明コントローラ１１からの調光信号に従って調光されない。このため、管理者は、照明コントローラ１１と無線通信できない照明器具２と、無線通信できる照明器具２とを区別できる。無線通信できない照明器具２は、双方向無線通信６１が到達しない位置に設置された照明器具２、照明コントローラ１１と無線チャンネルが異なる照明器具２または無線通信機能を有さない照明器具２である。
【００１８】
照明制御システム１００は、複数の照明コントローラ１１を備えても良い。照明コントローラ１１を増設することで、照明制御システム１００の設置範囲を広げることができる。複数の照明コントローラ１１は、それぞれ異なる調光制御またはスケジュール運転を行っても良い。
【００１９】
リモコン設定器１２は、赤外線通信６２により照明コントローラ１１と通信する。リモコン設定器１２からは、照明コントローラ１１のスケジュールの設定等ができる。ここで、スケジュールには、日付、曜日または時間帯に応じた照明器具２の調光率の制御または照明器具２の点灯、消灯の制御が含まれる。照明制御システム１００がセンサを含む場合は、スケジュールに、センサの検出情報に応じた調光制御のＯＮ、ＯＦＦが設定されても良い。
【００２０】
図２は、実施の形態１に係るスケジュール設定情報の一例を示す図である。図２は、リモコン設定器１２から設定されるスケジュールの一例を示す。図２の例では、時刻毎にシーン番号が割り当てられる。各々のシーン番号には、各種のパラメータが割り当てられる。パラメータには、例えば照明器具２の調光率、照明器具２の点灯、消灯およびセンサの検出情報に応じた調光制御のＯＮ、ＯＦＦが含まれる。
【００２１】
また、図２の例ではスケジュールパターン番号としてパターン１が設定されている。照明コントローラ１１には、複数のスケジュールパターンが設定され、日付、曜日等に応じてスケジュールパターンが切り替えられても良い。
【００２２】
図３は、実施の形態１に係る照明器具２の構成を示す図である。照明器具２ａ〜２ｄの構成は、照明器具２と同様である。照明器具２は、光源２１と点灯装置２２とを備える。点灯装置２２は、通信部２３、制御部２４、電力制御部２５および電流電圧計測部２６を備える。
【００２３】
通信部２３は、照明コントローラ１１と双方向無線通信６１により無線通信を行う。通信部２３は、照明コントローラ１１から調光信号を受信すると、受信した調光信号を制御部２４に伝達する。制御部２４は例えばマイコンである。制御部２４は、調光信号に応じて電力制御部２５を制御する。
【００２４】
電力制御部２５は、分電盤１から供給された電力を整流および変換して、光源２１に供給する電力を生成する。電力制御部２５は、例えばスイッチング素子のオンオフにより光源２１を点灯させるスイッチング電源回路である。
【００２５】
電流電圧計測部２６は、電力制御部２５の出力電圧および出力電流を検出する。電力制御部２５の出力電流は、光源２１を流れる電流に該当する。また、電力制御部２５の出力電圧は、光源２１に印加される電圧に該当する。電流電圧計測部２６の検出電圧および検出電流は、制御部２４に入力される。制御部２４は、検出電圧および検出電流と、調光信号から換算される比較値とが一致するように、電力制御部２５を制御する。制御部２４は、電力制御部２５のスイッチング素子のオンオフを制御する。つまり、制御部２４および電力制御部２５は、電流電圧計測部２６の検出値に基づき、光源２１を流れる電流および光源２１に印加される電圧をフィードバック制御する。制御部２４は、検出電流と、調光信号から換算される比較値とが一致するように、電力制御部２５を定電流制御しても良い。
【００２６】
また、制御部２４は、電流電圧計測部２６の検出電圧と検出電流とから、照明器具２の消費電力を算出する。つまり、消費電力測定部は制御部２４と電流電圧計測部２６とから構成される。このように、複数の照明器具２は、各々が自己の消費電力値を算出する。
【００２７】
照明器具２ａ〜２ｄの各々は、同じ無線チャンネルに設定された照明コントローラ１１からの調光信号、モニタ信号等を通信部２３で受信する。また、照明器具２ａ〜２ｄの各々は、照明コントローラ１１からのモニタ信号に応じて、通信部２３からモニタ応答を送信する。
【００２８】
照明コントローラ１１と照明器具２ａ〜２ｄの各々には、ディップスイッチが設けられる。ディップスイッチには、例えば１〜１０の数字が設定可能である。各々の機器において無線チャンネルの設定は、ディップスイッチを用いて行われる。
【００２９】
図４は、実施の形態１に係る照明制御システム１００の動作を示す第１のシーケンス図である。図４を用いて、照明器具２ａ〜２ｄの消費電力値を取得する動作を説明する。照明コントローラ１１は、ブロードキャストでモニタ信号を送信する。モニタ信号は、消費電力モニタ要求である。ブロードキャストは、送信先アドレスを指定しない一斉通信である。
【００３０】
これにより、照明コントローラ１１と同じ無線チャンネルに設定され、無線到達範囲に設置された照明器具２ａ〜２ｄは、モニタ信号を受信する。照明器具２ａ〜２ｄの各々は、モニタ信号に応じて、自己の消費電力値を消費電力モニタ応答として無線で送信する。ここで、照明器具２ａ〜２ｄの各々は、消費電力値を送信する際に送信元アドレスを指定しない。
【００３１】
また、消費電力モニタ応答では、送信先アドレスとして、照明コントローラ１１のアドレスが指定される。照明器具２ａ〜２ｄは予め照明コントローラ１１のアドレスを記憶している。また、消費電力モニタ応答は送信先アドレスを指定せずブロードキャストで送信されても良い。
【００３２】
照明器具２ａ〜２ｄの各々は、モニタ信号を受信すると、ランダムウェイト時間だけ経過した後に消費電力値を送信する。照明器具２ａ〜２ｄのランダムウェイト時間は、照明器具２ａ〜２ｄの消費電力値の送信のタイミングがずれるように、ランダムに設定される。これにより、同時送信による通信の衝突の発生を抑制できる。
【００３３】
照明コントローラ１１は、照明器具２ａ〜２ｄから消費電力モニタ応答を受信すると、照明器具２ａ〜２ｄから受信した複数の消費電力値の和を算出する。この複数の消費電力値の合計値が、複数の照明器具２の全消費電力に該当する。
【００３４】
ここで、消費電力モニタ応答には送信元アドレスが付されない。このため、照明コントローラ１１は、照明器具２ａ〜２ｄのうち何れの照明器具２からの応答を受信したかを把握できない。
【００３５】
本実施の形態の変形例として、照明コントローラ１１は複数の照明器具２に互いを識別するショートアドレスを割り当てても良い。これにより、特定の照明器具２と通信できる。従って、特定のショートアドレスにモニタ信号を送信して、特定の照明器具２を個別にモニタできる。また、照明コントローラ１１は消費電力モニタ要求をブロードキャストで送信し、照明器具２ａ〜２ｄは消費電力モニタ応答に送信元アドレスとして自己のショートアドレスを付して応答しても良い。これにより、照明コントローラ１１は、照明器具２ａ〜２ｄのうち何れの照明器具２からの応答を受信したかを把握できる。
【００３６】
照明コントローラ１１は、消費電力モニタ要求を定期的に送信しても良い。これにより、照明コントローラ１１は複数の照明器具２全体の消費電力を定期的に把握できる。
【００３７】
以上から、本実施の形態では、無線通信により容易に消費電力を取得できる。本実施の形態では、照明コントローラ１１と照明器具２間の配線が不要である。また、消費電力値を取得するために、分電盤１に電力計等を取り付ける必要がない。従って、照明コントローラ１１と照明器具２の通信設定の更新により、工事を行わずに消費電力値を容易に収集できる。
【００３８】
また、本実施の形態では、複数の照明器具２に照明コントローラ１１と同じ無線チャンネルを設定することで、無線通信が可能になる。このため、複数の照明器具２に個別のアドレスを設定し、登録する必要がない。従って、照明器具２の設定を容易にできる。特に、照明コントローラ１１が数十〜数百台の照明器具２と通信する場合に、アドレス設定の手間を低減できる。
【００３９】
また、本実施の形態では、照明コントローラ１１はブロードキャストでモニタ信号を送信し、無線到達範囲に設置された全ての照明器具２から消費電力値を受信する。このため、照明コントローラ１１は複数の照明器具２の台数の増減および複数の照明器具２の各々のアドレスを把握する必要がない。従って、照明器具２を追加する場合にも、追加する照明器具２に照明コントローラ１１の無線チャンネルを設定することで、照明コントローラ１１から複数の照明器具２の全消費電力を把握できる。このように、本実施の形態では照明器具２の増減に左右されず、モニタ信号を送信した時点の消費電力の合計値をモニタできる。
【００４０】
次に照明コントローラ１１による簡易デマンド制御を説明する。デマンド制御は、複数の照明器具２の全消費電力が上限消費電力を超えないように制御する運転方法である。
【００４１】
まず、照明制御システム１００の管理者は、リモコン設定器１２を操作して、デマンド制御要求を送信する。これにより、リモコン設定器１２から照明コントローラ１１にデマンド制御要求が送信される。照明コントローラ１１は、外部からデマンド制御要求を受信すると、図４に示されるように、消費電力値のモニタ信号を送信する。これにより、照明コントローラ１１は照明器具２ａ〜２ｄから受信した複数の消費電力値の和を算出する。
【００４２】
消費電力値の和が予め定められた第１閾値である上限消費電力よりも大きい場合、照明コントローラ１１は、調光率を現在の値よりも低く設定する調光率指示である調光信号を照明器具２ａ〜２ｄにブロードキャストで送信する。上限消費電力は、予めリモコン設定器１２から設定される。これにより、照明器具２ａ〜２ｄの消費電力を抑制できる。また、調光信号をブロードキャストで送信された照明器具２ａ〜２ｄは、同じ調光率に設定される。
【００４３】
照明コントローラ１１は、調光信号の送信の後、再度モニタ信号を送信して消費電力値の和を算出する。再度算出した消費電力値の和が上限消費電力よりも大きい場合、照明コントローラ１１は、調光率をさらに下げるように調光率指示を行う。このように、照明コントローラ１１は、消費電力値の和が上限消費電力よりも小さくなるまで、調光信号の送信と、モニタ信号の送信と、消費電力値の和の算出とを繰り返す。
【００４４】
このように、照明コントローラ１１は、複数の照明器具２の全消費電力が上限消費電力より低くなるように制御する。調光信号の１回の送信により、照明器具２の調光率は一定値だけ下がるものとしても良い。これに限らず、照明コントローラ１１は、現在の全消費電力から、全消費電力が上限消費電力よりも小さくなる調光率を算出し、算出した調光率を調光信号として指示しても良い。
【００４５】
また、照明コントローラは、消費電力値の和が、上限消費電力より低く、第２閾値である下限消費電力よりも大きくなるように、調光信号を送信しても良い。下限消費電力は、上限消費電力よりも小さい。これにより、デマンド制御により調光率が下がりすぎることを防止できる。
【００４６】
照明コントローラ１１には、例えば上限消費電力と消費電力許容誤差とがあらかじめ設定される。デマンド制御時において、照明コントローラ１１は照明器具２の全消費電力Ｐが、上限消費電力≧Ｐ≧上限消費電力−消費電力許容誤差となるように、調光率を制御する。上限消費電力−消費電力許容誤差は下限消費電力に相当する。
【００４７】
照明コントローラ１１は、照明器具２の全消費電力が下限消費電力よりも小さくなった場合、調光率を現在の値よりも高く設定する調光信号を複数の照明器具２に送信しても良い。以上から、複数の照明器具２の全消費電力を予め設定した範囲に制御できる。
【００４８】
複数の照明器具２の全消費電力はリモコン設定器１２からモニタできても良い。全消費電力は、デマンド制御時に自動でリモコン設定器１２に表示されるものとしても良い。また、管理者がリモコン設定器１２を操作して、全消費電力をモニタするモニタ信号を照明コントローラ１１に送信し、照明コントローラ１１はモニタ信号に応じて、算出した全消費電力をリモコン設定器１２に送信しても良い。
【００４９】
図５は、実施の形態１に係る照明制御システムの動作を示す第２のシーケンス図である。ここでは、スイッチ３ａ、３ｂのうちスイッチ３ｂがオフされている場合の動作について説明する。このとき、照明器具２ｃ、２ｄに電力が供給されない。従って、照明器具２ｃ、２ｄは消灯状態である。また、照明器具２ｃ、２ｄは無線信号の送受信ができない。
【００５０】
照明コントローラ１１は消費電力モニタ要求をブロードキャストで送信する。これに対し、照明器具２ａ、２ｂは消費電力値を応答するが、照明器具２ｃ、２ｄは消費電力モニタ応答を送信しない。このため、消費電力値の和に照明器具２ｃ、２ｄの消費電力値は算入されない。つまり、照明コントローラ１１は、応答がない照明器具２ｃ、２ｄは消費電力が無いものとして扱うこととなる。
【００５１】
照明コントローラ１１の無線到達範囲に設置された照明器具２ａ〜２ｄのうち、応答がない照明器具２ｃ、２ｄは、対応するスイッチ３ｂがオフであり、電力が供給されていないことを意味する。つまり、照明器具２ｃ、２ｄは動作していないため、消費電力はゼロまたは極めて小さい値である。このため、モニタ信号に対する応答がない照明器具２ｃ、２ｄの消費電力をゼロと見なしても、実際の消費電力との誤差は小さい。従って、一部の照明器具２が動作していない場合にも正確な全消費電力を算出できる。
【００５２】
また、例えば複数の照明器具２のうち無線通信ができない照明器具２が予め把握されている場合には、モニタ信号の応答として取得された消費電力値の和に、無線通信ができない照明器具２の消費電力を足して、全消費電力を算出しても良い。無線通信ができない照明器具２の消費電力は、例えば予め定められた固定値である。
【００５３】
また、照明コントローラ１１は上限消費電力をスケジュールによって変更しても良い。照明コントローラ１１は、太陽光が得られる昼間は、上限消費電力を低く抑えて照明器具２の調光率を低く設定しても良い。また、照明コントローラ１１は、夜は上限消費電力を高くして、照明器具２の調光率を高く設定しても良い。
【００５４】
また、上限消費電力によるデマンド制御に代えて、目標調光率または上限調光率を用いてデマンド制御を行っても良い。
【００５５】
本実施の形態では、上述したように簡易な構成で照明器具２の全消費電力を監視しできる。これにより、容易に消費電力を抑制するデマンド制御を実現できる。これにより、二酸化炭素の削減等の効果を得ることができる。
【００５６】
また、本実施の形態では、リモコン設定器１２との赤外線通信でデマンド制御ができる。照明制御システム１００は、照明コントローラ１１に予め設定された情報またはリモコン設定器１２から設定された情報に基づき動作する。このように、照明制御システム１００は、ネットワークを介して接続された上位機器からの制御が必要なく、スタンドアローンで動作する。このため、本実施の形態では、デマンド制御のために電力監視システムを持つ大規模なシステムを構築する必要がない。従って、簡易に消費電力を抑制できる。
【００５７】
本実施の形態では、照明器具２ａ〜２ｄは個別のアドレスを有さない。照明器具２ａ〜２ｄには、照明コントローラ１１と同じアドレスが割り振られても良い。この場合、照明コントローラ１１は、自己と同じアドレスの照明器具２ａ〜２ｄにモニタ信号を一斉送信する。また、照明器具２ａ〜２ｄの各々は、自己と同じアドレスの照明コントローラ１１に消費電力値を送信する。この場合も、複数の照明器具２に個別のアドレスを設定し、登録する手間を省くことができる。また、照明コントローラ１１は照明器具２ａ〜２ｄの台数およびアドレスを把握する必要がない。
【００５８】
図６は、実施の形態１の変形例に係る照明制御システム２００の構成を示す図である。照明制御システム２００は、通信機器１３と設定器１４を備える点が、照明制御システム１００と異なる。他の構成は、照明制御システム１００と同じである。
【００５９】
通信機器１３は、設備インタフェース機器とも呼ばれる。通信機器１３は、通信線６３を介して照明コントローラ１１と通信する。また、通信機器１３は、通信網６４を介して接続された設定器１４と通信する。通信網６４は、例えば有線または無線のＬＡＮ（Ｌｏｃａｌ  Ａｒｅａ  Ｎｅｔｗｏｒｋ）である。通信機器１３は、通信線６３を介した通信と、通信網６４を介した通信との通信プロトコルを変換する。設定器１４は、ＰＣまたはサーバで構成される。
【００６０】
照明制御システム２００において、照明コントローラ１１は取得した全消費電力を、通信機器１３を介して設定器１４に送信する。これにより、管理者または電力監視機器は、設定器１４を介して、照明コントローラ１１または通信機器１３から離れていても、照明器具２ａ〜２ｄの全消費電力をモニタできる。電力監視機器は、設定器１４でも良いし、設定器１４から全消費電力が送信される別の機器でも良い。
【００６１】
また、設定器１４は、照明器具２ａ〜２ｄの全消費電力に応じて、照明器具２ａ〜２ｄの調光率を指示する。これに応じて、照明コントローラ１１は設定器１４から指示された調光率を照明器具２ａ〜２ｄに指示する。従って、照明制御システム２００の消費電力を制御することができる。
【００６２】
このように、設定器１４から照明コントローラ１１にデマンド制御要求を送信することにより、照明制御システム１００と同様にデマンド制御を行うことができる。
【００６３】
本実施の形態で説明した技術的特徴は適宜に組み合わせて用いてもよい。
【符号の説明】
【００６４】
１  分電盤、２、２ａ〜２ｄ  照明器具、３ａ〜３ｂ  スイッチ、１１  照明コントローラ、１２  リモコン設定器、１３  通信機器、１４  設定器、２１  光源、２２  点灯装置、２３  通信部、２４  制御部、２５  電力制御部、２６  電流電圧計測部、６１  双方向無線通信、６２  赤外線通信、６３  通信線、６４  通信網、１００、２００  照明制御システム
【図１】
2020181660.tif 000003
【図２】
2020181660.tif 000004
【図３】
2020181660.tif 000005
【図４】
2020181660.tif 000006
【図５】
2020181660.tif 000007
【図６】
2020181660.tif 000008